(57)【要約】【課題】吊り上げた係留チェーンを浮体構造物に簡便に繋ぎ止めることのできる浮体構造物の係留方法および浮体式洋上風力発電施設の施工方法を提供する。【解決手段】一端側が水底の係留アンカー４８に接続してある係留チェーン５０の他端側５０ａを水上に引き上げてガイド２６を通してチェーンストッパー２０に繋ぐことにより、浮体構造物１０を水域に係留する方法であって、一端側がチェーンストッパー２０に係止され、ガイド２６に通されたメッセンジャーロープ２８の他端側２８ａと、水上に引き上げた係留チェーン５０の他端側５０ａとを接続した後、メッセンジャーロープ２８を引き上げることによって係留チェーン５０をガイド２６に導き入れて係留チェーン５０の他端側５０ａをチェーンストッパー２０に係止する。【選択図】図５
2018039474.tif 000002
【特許請求の範囲】
【請求項１】
係留チェーンの移動を案内する通路からなるガイドと、このガイドに通された係留チェーンを係止するためのチェーンストッパーとを備える浮体構造物に対して、一端側が水底の係留アンカーに接続してある係留チェーンの他端側を水上に引き上げてガイドを通してチェーンストッパーに繋ぐことにより、この浮体構造物を水域に係留する方法であって、
一端側がチェーンストッパーに係止され、他端側がガイドに通されたメッセンジャーロープの前記他端側と、水上に引き上げた係留チェーンの他端側とを接続した後、メッセンジャーロープを引き上げることによって係留チェーンをガイドに導き入れて係留チェーンの他端側をチェーンストッパーに係止することを特徴とする浮体構造物の係留方法。
【請求項２】
メッセンジャーロープを、ロープ部と、チェーンストッパーに係止可能なチェーン部とを含んで構成したことを特徴とする請求項１に記載の浮体構造物の係留方法。
【請求項３】
引き上げたメッセンジャーロープまたは係留チェーンをチェーンストッパーに係止してから、チェーンストッパーのガイドがある側とは反対側にあるメッセンジャーロープまたは係留チェーンを切断除去し、その後、チェーンストッパーへの係止を解除してメッセンジャーロープまたは係留チェーンを引き上げ、引き上げたメッセンジャーロープまたは係留チェーンをチェーンストッパーに係止することを特徴とする請求項１または２に記載の浮体構造物の係留方法。
【請求項４】
メッセンジャーロープの表面を、浮体構造物に傷を付けない材質で構成したことを特徴とする請求項１〜３のいずれか一つに記載の浮体構造物の係留方法。
【請求項５】
請求項１〜４のいずれか一つに記載の浮体構造物の係留方法を用いて、浮体構造物の上に風車を搭載してなる浮体式洋上風力発電施設を設置水域に据え付け施工する方法であって、
浮体式洋上風力発電施設を設置水域に曳航した後、係留チェーンを介して浮体式洋上風力発電施設の浮体構造物を設置水域に係留することにより、浮体式洋上風力発電施設を据え付け施工することを特徴とする浮体式洋上風力発電施設の施工方法。
【発明の詳細な説明】
【技術分野】
【０００１】
本発明は、浮体構造物の係留方法および浮体式洋上風力発電施設の施工方法に関するものであり、特に、一端側が水底の係留アンカーに接続してある係留チェーンの他端側を水上に引き上げて浮体構造物に繋ぐことにより、この浮体構造物を水域に係留する浮体構造物の係留方法、および、浮体構造物の上に風車を搭載した浮体式洋上風力発電施設の施工方法に関するものである。
【背景技術】
【０００２】
従来、洋上に浮かぶ大型の浮体構造物を、係留チェーンを介して沖合の海域に係留する方法が知られている（例えば、特許文献１を参照）。
【０００３】
一方、大型の浮体構造物を沖合の海域に係留する他の方法として、予め係留チェーンの一端が接続されている係留アンカーを海底に沈設しておき、係留チェーンの他端を海上に引き上げて浮体構造物に繋ぐことで、浮体構造物を係留する方法がある。この係留方法の具体的な手順について図１０を参照しながら説明する。
【０００４】
図１０（１）に示すように、まず、浮体構造物１を曳船２により現地の海域に曳航する。ここで、現地海域の海底Ｇには予めアンカー３ａが沈設されており、アンカー３ａにはホーサーロープ３ｂが接続している。ホーサーロープ３ｂの端部は海面ＷＬの係留ブイ３ｃに繋がれている。
【０００５】
続いて、図１０（２）に示すように、浮体構造物１をホーサーロープ３ｂに繋いで仮係留する。こうすることで、後の本係留作業中に浮体構造物１が波浪等によって漂流するのを防ぐ。ここで、現地海域の海底Ｇには予めアンカー４ａおよび係留チェーン４ｂが仮置きしてある。係留チェーン４ｂの端部はロープ４ｃを介して海面ＷＬの係留ブイ４ｄに繋がれている。
【０００６】
図１０（３）に示すように、起重機船５を当該海域に配置する。そして、図１０（４）に示すように、起重機船５のクレーンで海底Ｇに仮置きしてある係留チェーン４ｂの端部をロープ４ｃを介して海上に吊り上げる。
【０００７】
ここで、浮体構造物１の舷側の下端には、係留チェーン４ｂの移動を案内する通路からなるフェアリーダー６が設けられており、舷側の上端には、ガイドシーブ７およびチェーンストッパー８が設けられている。チェーンストッパー８としては、例えば特許文献２に記載の２重式制鎖器などが用いられる。
【０００８】
図１０（５）に示すように、起重機船５で吊り上げた係留チェーン４ｂの端部を、フェアリーダー６、ガイドシーブ７を通してチェーンストッパー８に係止することにより浮体構造物１に繋ぎ止める。最後に、係留チェーン４ｂの長さや張力を調整して浮体構造物１を現地海域に係留する。
【先行技術文献】
【特許文献】
【０００９】
【特許文献１】特許第５４１８９３９号公報
【特許文献２】特開平９−２７７９８１号公報
【発明の概要】
【発明が解決しようとする課題】
【００１０】
ところで、外洋でのクレーン作業は、波浪に伴う起重機船５の動揺量によっては安全性や施工精度の確保が難しくなり、作業を中止しなければならないケースも少なくない。例えば、周期の長いうねり性の波浪の場合には波高１メートル以下であっても吊フックや吊荷の振れ幅が数十メートルに及ぶことがあり、作業の稼働率に影響を与えることがある。
【００１１】
一方、仮係留中の浮体構造物１も波浪によって常に動揺した状態にあるため、起重機船５で吊り上げた重量物である係留チェーン４ｂの端部を、浮体構造物１のフェアリーダー６およびガイドシーブ７に挿通した上で、チェーンストッパー８に係止する作業は非常に困難なものとなる。このため、吊り上げた係留チェーン４ｂを浮体構造物１に簡便に繋ぎ止めることのできる係留技術が求められていた。
【００１２】
本発明は、上記に鑑みてなされたものであって、吊り上げた係留チェーンを浮体構造物に簡便に繋ぎ止めることのできる浮体構造物の係留方法および浮体式洋上風力発電施設の施工方法を提供することを目的とする。
【課題を解決するための手段】
【００１３】
上記した課題を解決し、目的を達成するために、本発明に係る浮体構造物の係留方法は、係留チェーンの移動を案内する通路からなるガイドと、このガイドに通された係留チェーンを係止するためのチェーンストッパーとを備える浮体構造物に対して、一端側が水底の係留アンカーに接続してある係留チェーンの他端側を水上に引き上げてガイドを通してチェーンストッパーに繋ぐことにより、この浮体構造物を水域に係留する方法であって、一端側がチェーンストッパーに係止され、他端側がガイドに通されたメッセンジャーロープの前記他端側と、水上に引き上げた係留チェーンの他端側とを接続した後、メッセンジャーロープを引き上げることによって係留チェーンをガイドに導き入れて係留チェーンの他端側をチェーンストッパーに係止することを特徴とする。
【００１４】
また、本発明に係る他の浮体構造物の係留方法は、上述した発明において、メッセンジャーロープを、ロープ部と、チェーンストッパーに係止可能なチェーン部とを含んで構成したことを特徴とする。
【００１５】
また、本発明に係る他の浮体構造物の係留方法は、上述した発明において、引き上げたメッセンジャーロープまたは係留チェーンをチェーンストッパーに係止してから、チェーンストッパーのガイドがある側とは反対側にあるメッセンジャーロープまたは係留チェーンを切断除去し、その後、チェーンストッパーへの係止を解除してメッセンジャーロープまたは係留チェーンを引き上げ、引き上げたメッセンジャーロープまたは係留チェーンをチェーンストッパーに係止することを特徴とする。
【００１６】
また、本発明に係る他の浮体構造物の係留方法は、上述した発明において、メッセンジャーロープの表面を、浮体構造物に傷を付けない材質で構成したことを特徴とする。
【００１７】
また、本発明に係る浮体式洋上風力発電施設の施工方法は、上述した浮体構造物の係留方法を用いて、浮体構造物の上に風車を搭載してなる浮体式洋上風力発電施設を設置水域に据え付け施工する方法であって、浮体式洋上風力発電施設を設置水域に曳航した後、係留チェーンを介して浮体式洋上風力発電施設の浮体構造物を設置水域に係留することにより、浮体式洋上風力発電施設を据え付け施工することを特徴とする。
【発明の効果】
【００１８】
本発明に係る浮体構造物の係留方法によれば、係留チェーンの移動を案内する通路からなるガイドと、このガイドに通された係留チェーンを係止するためのチェーンストッパーとを備える浮体構造物に対して、一端側が水底の係留アンカーに接続してある係留チェーンの他端側を水上に引き上げてガイドを通してチェーンストッパーに繋ぐことにより、この浮体構造物を水域に係留する方法であって、一端側がチェーンストッパーに係止され、他端側がガイドに通されたメッセンジャーロープの前記他端側と、水上に引き上げた係留チェーンの他端側とを接続した後、メッセンジャーロープを引き上げることによって係留チェーンをガイドに導き入れて係留チェーンの他端側をチェーンストッパーに係止するので、起重機船等によりメッセンジャーロープを引き上げることによって、吊り上げた係留チェーンを容易にガイドに導き入れることができるとともに、チェーンストッパーに係止することができる。したがって、吊り上げた係留チェーンを浮体構造物に簡便に繋ぎ止めることができるという効果を奏する。
【００１９】
また、本発明に係る他の浮体構造物の係留方法によれば、メッセンジャーロープを、ロープ部と、チェーンストッパーに係止可能なチェーン部とを含んで構成したので、メッセンジャーロープを引き上げ途中でチェーンストッパーに係止することができるという効果を奏する。
【００２０】
また、本発明に係る他の浮体構造物の係留方法によれば、引き上げたメッセンジャーロープまたは係留チェーンをチェーンストッパーに係止してから、チェーンストッパーのガイドがある側とは反対側にあるメッセンジャーロープまたは係留チェーンを切断除去し、その後、チェーンストッパーへの係止を解除してメッセンジャーロープまたは係留チェーンを引き上げ、引き上げたメッセンジャーロープまたは係留チェーンをチェーンストッパーに係止するので、メッセンジャーロープまたは係留チェーンの長さを短く調整することができるという効果を奏する。
【００２１】
また、本発明に係る他の浮体構造物の係留方法によれば、メッセンジャーロープの表面を、浮体構造物に傷を付けない材質で構成したので、例えばガイド等にメッセンジャーロープを挿通した状態で浮体構造物を曳航する場合などにおいて、メッセンジャーロープの接触によって浮体構造物の表面に擦り傷等が付くのを防止することができるという効果を奏する。
【００２２】
また、本発明に係る浮体式洋上風力発電施設の施工方法によれば、上述した浮体構造物の係留方法を用いて、浮体構造物の上に風車を搭載してなる浮体式洋上風力発電施設を設置水域に据え付け施工する方法であって、浮体式洋上風力発電施設を設置水域に曳航した後、係留チェーンを介して浮体式洋上風力発電施設の浮体構造物を設置水域に係留することにより、浮体式洋上風力発電施設を据え付け施工するので、浮体式洋上風力発電施設を簡便に据え付け施工することができるという効果を奏する。
【図面の簡単な説明】
【００２３】
【図１】図１は、本発明に係る浮体構造物の係留方法および浮体式洋上風力発電施設の施工方法の実施の形態に適用する洋上風力発電船を示す概略斜視図である。
【図２】図２は、外側の柱状浮体の概略部分拡大図である。
【図３】図３は、チェーンストッパーの構成例を示す概略斜視図である。
【図４】図４は、本発明に係る浮体構造物の係留方法および浮体式洋上風力発電施設の施工方法の実施の形態の工程１を示す図である。
【図５】図５は、本発明に係る浮体構造物の係留方法および浮体式洋上風力発電施設の施工方法の実施の形態の工程２を示す図である。
【図６】図６は、本発明に係る浮体構造物の係留方法および浮体式洋上風力発電施設の施工方法の実施の形態の工程３を示す図である。
【図７】図７は、本発明に係る浮体構造物の係留方法および浮体式洋上風力発電施設の施工方法の実施の形態の工程４を示す図である。
【図８】図８は、本発明に係る浮体構造物の係留方法および浮体式洋上風力発電施設の施工方法の実施の形態の工程５を示す図である。
【図９】図９は、係留チェーンの切断状況を説明する図である。
【図１０】図１０は、従来の浮体構造物の係留方法の一例を示した概略工程図である。
【発明を実施するための形態】
【００２４】
以下に、本発明に係る浮体構造物の係留方法および浮体式洋上風力発電施設の施工方法の実施の形態を図面に基づいて詳細に説明する。なお、この実施の形態によりこの発明が限定されるものではない。
【００２５】
［浮体構造物］
まず、本発明の実施の形態に適用する浮体構造物の基本構成について説明する。
【００２６】
図１は、本発明の実施の形態に適用する浮体構造物の一例を示したものである。この図に示すように、浮体構造物１０は風車Ｂを搭載した洋上風力発電船１２からなり、沖合の洋上にて風力発電を行う浮体式洋上風力発電施設１００として機能する。
【００２７】
洋上風力発電船１２の船体は、平面視で正三角形の頂点と中心に配置した４つの柱状浮体１４Ａ〜１４Ｄを相互に連結してなるセミサブ型（半潜水型）の浮体構造物である。中心に位置する柱状浮体１４Ｄの上にはタワーＴが立設してあり、その上端部には風車Ｂが搭載してある。
【００２８】
４つの柱状浮体１４Ａ〜１４Ｄは、それぞれ上下方向の軸心を有する円柱状体からなり、上部間を連結する連結部材１６Ａと、上部と下部間を連結する斜材からなる連結部材１６Ｂと、下部間を連結する連結部材１６Ｃで相互に連結される。
【００２９】
なお、この洋上風力発電船１２は、例えば２ＭＷ級の洋上風力発電に適用可能であり、その概略寸法は例えば船体の直径６０ｍ程度、船体の高さ３０ｍ程度、風車Ｂの最高点までの高さ９０ｍ程度のものとして構成することができる。
【００３０】
柱状浮体１４Ａ〜１４Ｃの外側には、上から順にチェーンストッパー２０、ガイドシーブ２２、チェーンガイド２４がそれぞれ２つずつ設けられており、柱状浮体１４Ａ〜１４Ｃの下部にはガイドとしてのフェアリーダー２６が２つずつ設けられている。チェーンストッパー２０、ガイドシーブ２２、チェーンガイド２４、フェアリーダー２６にはメッセンジャーロープ２８が挿通配置される。
【００３１】
メッセンジャーロープ２８は、ロープ部２８Ａと、チェーンストッパー２０に係止可能なチェーン部２８Ｂとを含んで構成されている。ロープ部２８Ａとチェーン部２８Ｂはメッセンジャーロープ２８の延在方向に所定長ずつ交互に配置される。こうすることで、後述するメッセンジャーロープ２８の引き上げ作業の途中で、チェーン部２８Ｂを介してメッセンジャーロープ２８をチェーンストッパー２０に係止することができる。なお、チェーン部２８Ｂは少なくとも３弦のチェーンリングで構成することが望ましく、使用するチェーンリングは本設の係留チェーンのチェーンリングと同一のものが好ましい。
【００３２】
ここで、メッセンジャーロープ２８の表面を、洋上風力発電船１２に傷を付けない材質で構成してもよい。この場合、例えば接触物に傷を付けない樹脂でメッセンジャーロープ２８の表面をコーティングしてもよいし、メッセンジャーロープ２８自体を、十分な強度を有し、接触物に傷を付けない樹脂で構成してもよい。このようにすれば、例えばフェアリーダー２６等にメッセンジャーロープ２８を挿通配置した状態で洋上風力発電船１２を曳航する時などにおいて、メッセンジャーロープ２８の接触によって洋上風力発電船１２の表面に擦り傷等が付くのを防止することができる。
【００３３】
なお、メッセンジャーロープ２８は、洋上風力発電船１２を設置海域に曳航する前に、予め港内にてチェーンストッパー２０、ガイドシーブ２２、チェーンガイド２４、フェアリーダー２６に挿通配置しておいてもよい。また、予め港内にてメッセンジャーロープ２８の一端側のみをチェーンストッパー２０に係止し、他端側を柱状浮体１４Ａ〜１４Ｃの上端面３６に載置した状態で設置海域に曳航した後、設置海域にて他端側をガイドシーブ２２、チェーンガイド２４、フェアリーダー２６に挿通配置してもよい。このようにすれば、後の係留チェーンの引き上げ作業にスムーズに移行することができる。
【００３４】
フェアリーダー２６は、係留チェーンを任意の方向に導くためのものであり、柱状浮体１４Ａ〜１４Ｃの下部の外周面に設けられる。このフェアリーダー２６は、平面視で正三角形の中心に位置する柱状浮体１４Ｄから最も遠い箇所を挟んだ左右両側の対称的な位置に若干の間隔をあけて設けられる。
【００３５】
フェアリーダー２６は、図２に示すように、略上下方向に延在する軸部Ｚ１の周りに旋回自在に固定された略Ｕ字状断面の基部３０と、基部３０の開口側の先端において略水平方向に延在する軸部Ｚ２の周りに回転自在に固定されたシーブ部３２とを備えている。係留チェーンは、基部３０の軸部Ｚ１側とシーブ部３２との間に形成される筒状の通路３４に挿通されるようになっている。フェアリーダー２６は、基部３０の旋回により係留チェーンの位置を規制し、シーブ部３２の回転により係留チェーンの移動を案内することが可能である。なお、図２の例では、フェアリーダー２６には係留チェーンの代わりにメッセンジャーロープ２８が挿通してある。
【００３６】
チェーンガイド２４は、係留チェーンを案内するための角筒状の通路からなり、柱状浮体２２Ａ〜２２Ｃの上端の外周面に設けられる。ガイドシーブ２２は、係留チェーンを案内するためのシーブであり、チェーンガイド２４の上方の柱状浮体２２Ａ〜２２Ｃの上端の縁に設けられる。チェーンストッパー２０は、係留チェーンを柱状浮体２２Ａ〜２２Ｃの上端面３６に繋ぎ止めるためのものであり、ガイドシーブ２２の奥側の上端面３６に設けられる。なお、図２の例では、チェーンガイド２４、ガイドシーブ２２、チェーンストッパー２０には係留チェーンの代わりにメッセンジャーロープ２８が挿通ないし係止してある。これらフェアリーダー２６、チェーンガイド２４、ガイドシーブ２２、チェーンストッパー２０は上下に延びる略直線状に配置される。
【００３７】
チェーンストッパー２０は、係留チェーンに見込まれる引張力に対応した強度を有する制鎖器で構成されている。制鎖器としては、例えばＪＩＳに規定された周知のタング形制鎖器、かんぬき形制鎖器や上記の特許文献２に記載の２重式制鎖器などを用いることができる。なお、本実施の形態では、チェーンストッパー２０を２重式制鎖器で構成した場合を例にとり説明する。
【００３８】
チェーンストッパー２０は、図３に示すように、ガイド溝３８を通る係留チェーンＣを挟んだ対向位置に係止具を２個設けて水平に寝たチェーンリング４０の両肩を抑えて止めるものである。ここで、係留チェーンＣの左端側に図示しない係留アンカーが接続されているものとする。係留チェーンＣが通るガイド溝３８の両脇に対称的に２個の固定係止具４２が内側にハの字状に傾斜するように溶接されている。この固定係止具４２の内側にはそれぞれ回動係止具４４が設置されている。回動係止具４４には油圧式のアクチュエータ４６が取り付けられており、手動または自動操作により回動することができる。
【００３９】
回動係止具４４を外側に回動して避ければ係留チェーンＣはガイド溝３８に沿って摺動可能となる。一方、回動係止具４４を内側に回動させて、回動係止具４４の内側端面が係留チェーンＣの横臥したチェーンリング４０の肩に当接し外側端面が固定係止具４２の端面に当接するようにすれば、係留チェーンＣに働く引張力を固定係止具４２で止めて把持することができる。係留チェーンＣが図の右方向に引き上げられると、チェーンストッパー２０は係留チェーンＣの摺動を許容するが、逆に、係留チェーンＣの引き上げ張力を抜くと、回動係止具４４がチェーンリング４０の肩に当接して係留チェーンＣをロックし、摺動を許さないようになっている。このように、チェーンストッパー２０における係留チェーンＣの移動は一方通行となっている。
【００４０】
［浮体構造物の係留方法］
次に、本発明に係る浮体構造物の係留方法について図４〜図９を参照しながら説明する。
【００４１】
本発明に係る浮体構造物の係留方法は、上記の図１に例示した浮体構造物１０としての洋上風力発電船１２を、係留チェーンを介して沖合などの所定の設置海域（水域）に係留する方法である。なお、最終的に洋上風力発電船１２は、各柱状浮体１４Ａ〜１４Ｃの合計６つのチェーンストッパー２０に繋ぎ止めて係留されることになるが、以下の説明では、洋上風力発電船１２を設置海域に曳航した後、柱状浮体１４Ａ側の１つのチェーンストッパー２０に繋ぎ止めて係留する手順を例にとり説明する。
【００４２】
まず、図４の工程１に示すように、洋上風力発電船１２を曳船２により設置海域に曳航する（ステップＳ１）。ここで、洋上風力発電船１２の各柱状浮体１４Ａ〜１４Ｃには、上述したように予めメッセンジャーロープ２８が挿通配置されている。メッセンジャーロープ２８は、一端を各柱状浮体１４Ａ〜１４Ｃの上端面のチェーンストッパー２０に係止して、ここからガイドシーブ２２、チェーンガイド２４、フェアリーダー２６を順次通した後、他端を各柱状浮体１４Ａ〜１４Ｃの上端面に仮固定してある。
【００４３】
なお、メッセンジャーロープ２８は、このような仮固定ではなく、上述した方法で配置してあってもよい。すなわち、曳航前の港内において予めメッセンジャーロープ２８の一端側のみを各柱状浮体１４Ａ〜１４Ｃの上端面のチェーンストッパー２０に係止して、他端側を上端面に載置しておき、設置海域に到着してから他端側をガイドシーブ２２、チェーンガイド２４、フェアリーダー２６に挿通してもよい。
【００４４】
一方、現地海域の海底Ｇ（水底）には予め係留アンカー４８が沈設されており、係留アンカー４８には海底Ｇに仮置きした係留チェーン５０の一端側が接続している。この係留チェーン５０の他端側には、十分な強度を有するホーサーロープ５２の一端側が繋がれており、その他端側は海面ＷＬに浮かぶ係留ブイ５４に繋がれている。
【００４５】
続いて、柱状浮体１４Ｃにホーサーロープ５２の他端側を繋いで洋上風力発電船１２を仮係留する（ステップＳ２）。こうすることで、後の柱状浮体２２Ａに対する本係留作業中に、洋上風力発電船２０が波浪等によって漂流するのを防ぐ。ここで、ホーサーロープ５２は、柱状浮体１４Ｃの下部のフェアリーダー２６からチェーンガイド２４、ガイドシーブ２２を順次通して上端面３６のチェーンストッパー２０に係止することが好ましいが、必ずしもこの限りではない。なお、この作業は、例えば潜水作業員による挿通作業や図示しない起重機船のクレーンの吊り上げ作業等を用いて実施することができる。
【００４６】
次に、図５の工程２に示すように、起重機船５を当該海域に配置し、起重機船５のクレーンで柱状浮体１４Ａ側のホーサーロープ５２を吊り上げ、海底Ｇに仮置きしてある係留チェーン５０の端部５０ａ（他端側）を海上（水上）に引き上げる（ステップＳ３）。続いて、海上に引き上げた係留チェーン５０の端部５０ａとメッセンジャーロープ２８の端部２８ａ（他端側）とを接続する（ステップＳ４）。この作業は、例えば図示しない作業台船上で実施することができる。
【００４７】
次に、図６の工程３に示すように、起重機船５のクレーンで係留チェーン５０を吊持した状態で、メッセンジャーロープ２８を引き上げていく（ステップＳ５）。この引き上げによって係留チェーン５０の端部５０ａを柱状浮体１４Ａの下部のフェアリーダー２６に導き入れる。このメッセンジャーロープ２８の引き上げ作業は、例えば図示しない起重機船のクレーンや、柱状浮体１４Ａの上端面上の図示しないウインドラスを用いて実施することができる。
【００４８】
ここで、起重機船のクレーンを用いてメッセンジャーロープ２８を引き上げる場合には、クレーンの引き上げ高さの限界を考慮して、次のような手順で行うことができる。例えば、クレーンの引き上げ高さ（揚程）の限界値が２０ｍの場合には、メッセンジャーロープ２８をこの限界値だけ引き上げてチェーン部２８Ｂ（図２を参照）のところでチェーンストッパー２０に一時的に係止する。メッセンジャーロープ２８は、図２に示すように、ロープ部２８Ａと、チェーンストッパー２０に係止可能なチェーン部２８Ｂとを含んで構成してあるので、メッセンジャーロープ２８を引き上げ作業の途中でチェーンストッパー２０に係止することができる。
【００４９】
この後、クレーンの吊持部分を替えてメッセンジャーロープ２８を限界値引き上げるという作業を繰り返す。このようにすれば、引き上げ延長がクレーンの引き上げ高さの限界値を超えるような場合でも、引き上げ作業を円滑に実施可能である。なお、上記の場合において、メッセンジャーロープ２８のチェーン部２８Ｂの一節の長さは、クレーンの引き上げ高さの限界値と同程度の長さにすることが望ましい。
【００５０】
次に、図７の工程４に示すように、メッセンジャーロープ２８をさらに引き上げることによって、係留チェーン５０の端部５０ａをフェアリーダー２６からチェーンガイド２４、ガイドシーブ２２を順次通し、上端面のチェーンストッパー２０に通し入れる（ステップＳ６）。そして、係留チェーン５０の端部５０ａがガイド溝３８（図３を参照）から十分にはみ出た状態とし、この状態で係留チェーン５０をチェーンストッパー２０に係止する。なお、柱状浮体１４Ｃに繋いでいた仮係留用のホーサーロープ５２は、その後の所定のタイミングで取り外せばよい。
【００５１】
このように、本実施の形態に係る浮体構造物の係留方法によれば、起重機船等によりメッセンジャーロープ２８を引き上げることによって、吊り上げた係留チェーン５０を、波浪によって常時動揺状態にある洋上風力発電船１２（浮体構造物１０）のフェアリーダー２６等のガイドに容易に導き入れることができるとともに、チェーンストッパー２０に係止することができる。したがって、吊り上げた係留チェーン５０を波浪作用下の洋上風力発電船１２に簡便に繋ぎ止めることができる。
【００５２】
以上の手順（工程１〜工程４）を他の柱状浮体１４Ｂ、１４Ｃについても行い、最終的に図８の工程５に示すように、全６つのチェーンストッパー２０に対して係留チェーン５０を係止する。この実施順序については、浮体構造物の動揺バランスを考慮した順序で行うことが望ましく、例えば、柱状浮体１４Ａの右側のチェーンストッパー２０に対して係留チェーン５０を係止した後は、柱状浮体１４Ｂの右側のチェーンストッパー２０に対して係留チェーン５０を係止し、その後、柱状浮体１４Ｃの右側のチェーンストッパー２０に対して係留チェーン５０を係止するといった順序が考えられる。
【００５３】
なお、全６つのチェーンストッパー２０に対して６条の係留チェーン５０を係止した後は、各係留チェーン５０の張力を所定の大きさに均等に調整する作業を行う。この場合、例えば図９に示すように、チェーンストッパー２０を若干越えた位置Ｘ（ガイドとしてのフェアリーダー２６がある側とは反対側）において係留チェーン５０を切断してその端部を除去し、係留チェーン５０の長さを短くすることで張力を調整する。この切断作業は、上記の工程３、工程４のメッセンジャーロープ２８または係留チェーン５０の引き上げ作業中に行うこともできる。
【００５４】
例えば、上記の工程３において、起重機船のクレーンでメッセンジャーロープ２８を引き上げる際に、メッセンジャーロープ２８を所定長だけ引き上げてチェーン部２８Ｂでチェーンストッパー２０に一時的に係止した後、チェーンストッパー２０を若干越えた位置Ｘにおいてメッセンジャーロープ２８を切断してその端部を除去して長さを短くし、その後、チェーンストッパー２０への係止を解除してメッセンジャーロープ２８の引き上げを再開してもよい。
【００５５】
同様に、上記の工程４において、チェーンストッパー２０を若干越えた位置Ｘにおいて係留チェーン５０を切断してその長さを短くし、その後、チェーンストッパー２０への係止を解除して係留チェーン５０の引き上げを再開してもよい。
【００５６】
［浮体式洋上風力発電施設の施工方法］
次に、本発明に係る浮体式洋上風力発電施設の施工方法について説明する。
【００５７】
この施工方法は、上述した浮体構造物の係留方法を用いて、浮体構造物１０の上に風車Ｂを搭載してなる洋上風力発電船１２により構成した浮体式洋上風力発電施設を設置水域に据え付け施工する方法である。
【００５８】
この方法の具体的な手順としては、まず、上記の工程１（図４）のように、洋上風力発電船１２を設置水域に曳航する。次に、上記の工程２〜工程５（図５〜図８）のように、係留チェーン５０を介して洋上風力発電船１２を設置水域に係留する。こうすることで、図８に示すように、浮体式洋上風力発電施設１００を設置水域に据え付け施工する。ここで、洋上風力発電船１２を設置水域に係留する方法としては、上述した本発明の浮体構造物の係留方法を用いる。こうすることで、沖合の波浪作用下において、浮体式洋上風力発電施設を簡便に据え付け施工することができる。
【００５９】
以上説明したように、本発明に係る浮体構造物の係留方法によれば、係留チェーンの移動を案内する通路からなるガイドと、このガイドに通された係留チェーンを係止するためのチェーンストッパーとを備える浮体構造物に対して、一端側が水底の係留アンカーに接続してある係留チェーンの他端側を水上に引き上げてガイドを通してチェーンストッパーに繋ぐことにより、この浮体構造物を水域に係留する方法であって、一端側がチェーンストッパーに係止され、他端側がガイドに通されたメッセンジャーロープの前記他端側と、水上に引き上げた係留チェーンの他端側とを接続した後、メッセンジャーロープを引き上げることによって係留チェーンをガイドに導き入れて係留チェーンの他端側をチェーンストッパーに係止するので、起重機船等によりメッセンジャーロープを引き上げることによって、吊り上げた係留チェーンを容易にガイドに導き入れることができるとともに、チェーンストッパーに係止することができる。したがって、吊り上げた係留チェーンを浮体構造物に簡便に繋ぎ止めることができる。
【００６０】
また、本発明に係る他の浮体構造物の係留方法によれば、メッセンジャーロープを、ロープ部と、チェーンストッパーに係止可能なチェーン部とを含んで構成したので、メッセンジャーロープを引き上げ途中でチェーンストッパーに係止することができる。
【００６１】
また、本発明に係る他の浮体構造物の係留方法によれば、引き上げたメッセンジャーロープまたは係留チェーンをチェーンストッパーに係止してから、チェーンストッパーのガイドがある側とは反対側にあるメッセンジャーロープまたは係留チェーンを切断除去し、その後、チェーンストッパーへの係止を解除してメッセンジャーロープまたは係留チェーンを引き上げ、引き上げたメッセンジャーロープまたは係留チェーンをチェーンストッパーに係止するので、メッセンジャーロープまたは係留チェーンの長さを短く調整することができる。
【００６２】
また、本発明に係る他の浮体構造物の係留方法によれば、メッセンジャーロープの表面を、浮体構造物に傷を付けない材質で構成したので、例えばガイド等にメッセンジャーロープを挿通した状態で浮体構造物を曳航する場合などにおいて、メッセンジャーロープの接触によって浮体構造物の表面に擦り傷等が付くのを防止することができる。
【００６３】
また、本発明に係る浮体式洋上風力発電施設の施工方法によれば、上述した浮体構造物の係留方法を用いて、浮体構造物の上に風車を搭載してなる浮体式洋上風力発電施設を設置水域に据え付け施工する方法であって、浮体式洋上風力発電施設を設置水域に曳航した後、係留チェーンを介して浮体式洋上風力発電施設の浮体構造物を設置水域に係留することにより、浮体式洋上風力発電施設を据え付け施工するので、浮体式洋上風力発電施設を簡便に据え付け施工することができる。
【産業上の利用可能性】
【００６４】
以上のように、本発明に係る浮体構造物の係留方法および浮体式洋上風力発電施設の施工方法は、一端側が水底の係留アンカーに接続してある係留チェーンの他端側を水上に引き上げて浮体構造物に繋ぐことにより、この浮体構造物を水域に係留する方法に有用であり、特に、吊り上げた係留チェーンを浮体構造物に比較的簡便に繋ぎ止めるのに適している。
【符号の説明】
【００６５】
１０  浮体構造物
１２  洋上風力発電船
１４Ａ〜１４Ｄ  柱状浮体
１６Ａ〜１６Ｃ  連結部材
２０  チェーンストッパー
２２  ガイドシーブ
２４  チェーンガイド
２６  フェアリーダー（ガイド）
２８  メッセンジャーロープ
２８ａ  端部（他端側）
２８Ａ  ロープ部
２８Ｂ  チェーン部
３０  基部
３２  シーブ部
３４  通路
３６  上端面
３８  ガイド溝
４０  チェーンリング
４２  固定係止具
４４  回動係止具
４６  アクチュエータ
４８  係留アンカー
５０，Ｃ  係留チェーン
５０ａ  端部（他端側）
５２  ホーサーロープ
５４  係留ブイ
１００  浮体式洋上風力発電施設
Ｂ  風車
Ｔ  タワー
Ｚ１，Ｚ２  軸部
Ｇ  海底（水底）
ＷＬ  海面
【図１】
2018039474.tif 000003
【図２】
2018039474.tif 000004
【図３】
2018039474.tif 000005
【図４】
2018039474.tif 000006
【図５】
2018039474.tif 000007
【図６】
2018039474.tif 000008
【図７】
2018039474.tif 000009
【図８】
2018039474.tif 000010
【図９】
2018039474.tif 000011
【図１０】
2018039474.tif 000012